(57)【要約】【課題】パネルの温度変化に対して、パネルの表示不良を防止するとともに、高画質化が達成可能なプラズマディスプレイパネルの駆動方法を提供する。【解決手段】プラズマディスプレイの駆動方法は、プラズマディスプレイパネルを構成する複数の所定電極に、初期化期間において初期化パルス電圧を印加することが可能であり、傾斜開始電圧を生成するステップを有する。このステップは、初期化パルス電圧のうち緩やかに上昇する傾斜電圧の開始電圧を表す傾斜開始電圧を生成する。さらにこのステップは、傾斜開始電圧を変化させる。【選択図】図２Ａ
2010276680.tif 000002
【特許請求の範囲】
【請求項１】
プラズマディスプレイパネルを構成する複数の所定電極に、初期化期間において初期化パルス電圧を印加することが可能な、プラズマディスプレイの駆動方法であって、
前記初期化パルス電圧のうち緩やかに上昇する傾斜電圧の開始電圧を表す傾斜開始電圧を生成するステップを有し、
前記傾斜開始電圧を生成するステップは、前記傾斜開始電圧を変化させる、プラズマディスプレイの駆動方法。
【請求項２】
さらに、前記プラズマディスプレイパネルの温度に関連付けられた状態信号または前記プラズマディスプレイパネルの動作時間に関連付けられた状態信号のうち、少なくとも一方を受けることが可能なステップを有し、
前記傾斜開始電圧を生成するステップは、前記状態信号に基づいて、前記傾斜開始電圧を変化させる、請求項１に記載のプラズマディスプレイの駆動方法。
【請求項３】
前記傾斜開始電圧を生成するステップは、
変化可能な電圧を表す可変電圧を発生させるステップと、
所定電圧を発生させるステップと、を含む、請求項１に記載のプラズマディスプレイの駆動方法。
【請求項４】
さらに、前記傾斜電圧の終了電圧を表す傾斜終了電圧を生成するステップを有し、
前記傾斜終了電圧を生成するステップは、前記傾斜終了電圧を変化させる、請求項１に記載のプラズマディスプレイの駆動方法。
【請求項５】
前記傾斜終了電圧を生成するステップは、前記傾斜電圧を生成する、請求項４に記載のプラズマディスプレイの駆動方法。
【請求項６】
前記傾斜終了電圧を生成するステップは、前記傾斜開始電圧の変化に対して、前記傾斜電圧の傾きを所定値に保持する、請求項５に記載のプラズマディスプレイの駆動方法。
【請求項７】
前記傾斜終了電圧を生成するステップは、前記傾斜開始電圧の変化に対して、前記傾斜電圧の期間を所定値に保持する、請求項５に記載のプラズマディスプレイの駆動方法。
【請求項８】
前記傾斜終了電圧を生成するステップは、
変化可能な電圧を表す可変電圧を発生させるステップと、
所定電圧を発生させるステップと、を含む、請求項４に記載のプラズマディスプレイの駆動方法。
【請求項９】
前記傾斜開始電圧を生成するステップは、前記可変電圧を発生させるステップを共有する、請求項８に記載のプラズマディスプレイの駆動方法。
【請求項１０】
前記傾斜終了電圧を生成するステップは、前記傾斜開始電圧を生成するステップと連動して、前記傾斜終了電圧を変化させる、請求項４に記載のプラズマディスプレイの駆動方法。
【請求項１１】
前記傾斜開始電圧を生成するステップは、変化可能な電圧を表す可変電圧を発生させるステップを含み、
前記傾斜終了電圧を生成するステップは、前記可変電圧に基づいて、前記傾斜終了電圧を変化させる、請求項１０に記載のプラズマディスプレイの駆動方法。
【請求項１２】
プラズマディスプレイパネルを構成する複数の所定電極に、初期化期間において初期化パルス電圧を印加することが可能な、プラズマディスプレイの駆動装置であって、
前記初期化パルス電圧のうち緩やかに上昇する傾斜電圧の開始電圧を表す傾斜開始電圧を生成する傾斜開始電圧源を有し、
前記傾斜開始電圧源は、前記傾斜開始電圧を変化させる、プラズマディスプレイの駆動装置。
【請求項１３】
さらに、前記プラズマディスプレイパネルの温度に関連付けられた状態信号または前記プラズマディスプレイパネルの動作時間に関連付けられた状態信号のうち、少なくとも一方を受けることが可能な受信経路を有し、
前記傾斜開始電圧源は、前記状態信号に基づいて、前記傾斜開始電圧を変化させる、請求項１２に記載のプラズマディスプレイの駆動装置。
【請求項１４】
さらに、
所定電圧源と、
前記所定電極に接続可能な電極経路と、
前記所定電圧源の一端と他端との間に接続され、前記一端の電圧または前記他端の電圧のうちいずれか一方を選択し、前記電極経路に出力するスイッチ回路と、を有し、
前記所定電圧源は、前記一端が前記傾斜開始電圧源に接続され、
前記スイッチ回路は、前記初期化期間において前記一端の電圧を選択し、前記傾斜開始電圧を前記電極経路に印加する、請求項１２に記載のプラズマディスプレイの駆動装置。
【請求項１５】
前記傾斜開始電圧源は、
変化可能な電圧を表す可変電圧を発生させる可変電圧源と、
所定電圧を発生させる所定電圧源と、を含む、請求項１２に記載のプラズマディスプレイの駆動装置。
【請求項１６】
さらに、前記傾斜電圧の終了電圧を表す傾斜終了電圧を生成する傾斜終了電圧源を有し、
前記傾斜終了電圧源は、前記傾斜終了電圧を変化させる、請求項１２に記載のプラズマディスプレイの駆動装置。
【請求項１７】
前記傾斜終了電圧源は、前記傾斜電圧を生成する、請求項１６に記載のプラズマディスプレイの駆動装置。
【請求項１８】
前記傾斜終了電圧源は、前記傾斜開始電圧の変化に対して、前記傾斜電圧の傾きを所定値に保持する、請求項１７に記載のプラズマディスプレイの駆動装置。
【請求項１９】
前記傾斜終了電圧源は、前記傾斜開始電圧の変化に対して、前記傾斜電圧の期間を所定値に保持する、請求項１７に記載のプラズマディスプレイの駆動装置。
【請求項２０】
前記傾斜終了電圧源は、
変化可能な電圧を表す可変電圧を発生させる可変電圧源と、
所定電圧を発生させる所定電圧源と、を含む、請求項１６に記載のプラズマディスプレイの駆動装置。
【請求項２１】
前記傾斜開始電圧源は、前記可変電圧源を共有する、請求項２０に記載のプラズマディスプレイの駆動装置。
【請求項２２】
前記傾斜終了電圧源は、前記傾斜開始電圧源と連動して、前記傾斜終了電圧を変化させる、請求項１６に記載のプラズマディスプレイの駆動装置。
【請求項２３】
前記傾斜開始電圧源は、変化可能な電圧を表す第１可変電圧を発生させる第１可変電圧源を含み、
前記傾斜終了電圧源は、前記第１可変電圧に基づいて、前記傾斜終了電圧を変化させる、請求項２２に記載のプラズマディスプレイの駆動装置。
【請求項２４】
さらに、前記第１可変電圧に連動して変化する連動制御信号を生成する連動制御部を有し、
前記傾斜終了電圧源は、前記第１可変電圧の基準電位とは異なる基準電位を有する第２可変電圧を発生させる第２可変電圧源を含み、
前記第２可変電圧源は、前記連動制御信号に基づいて、前記第２可変電圧を変化させる、請求項２３に記載のプラズマディスプレイの駆動装置。
【請求項２５】
前記連動制御部は、変換部、伝達部、および逆変換部を含み、
前記変換部は、前記第１可変電圧に基づく電圧信号を、前記電圧信号に関連付けられた所定信号に変換し、
前記伝達部は、前記所定信号を伝達し、
前記逆変換部は、伝達された前記所定信号を逆変換する、請求項２４に記載のプラズマディスプレイの駆動装置。
【請求項２６】
前記変換部は、前記電圧信号を、前記電圧信号に関連付けられた周波数を有する所定の周波数信号に変換し、
前記逆変換部は、前記周波数信号を前記電圧信号に逆変換する、請求項２５に記載のプラズマディスプレイの駆動装置。
【請求項２７】
前記変換部は、前記電圧信号を、前記電圧信号に関連付けられた電流を有する所定の電流信号に変換し、
前記逆変換部は、前記電流信号を前記電圧信号に逆変換する、請求項２５に記載のプラズマディスプレイの駆動装置。
【請求項２８】
前記伝達部は、前記所定信号を、光を用いて伝達する、請求項２５に記載のプラズマディスプレイの駆動装置。
【請求項２９】
前記伝達部は、磁気トランスである、請求項２５に記載のプラズマディスプレイの駆動装置。
【請求項３０】
プラズマディスプレイパネルを構成する複数の所定電極に、初期化期間において初期化パルス電圧を印加することが可能な、プラズマディスプレイの駆動装置であって、
緩やかに上昇する傾斜電圧の開始電圧を表す傾斜開始電圧を生成する傾斜開始電圧源と、
所望の走査基準電圧を発生させる走査基準電圧源と、
前記所定電極に接続可能な電極経路と、を有し、
前記傾斜開始電圧源は、前記傾斜開始電圧を変化させ、
前記走査基準電圧源は、
前記傾斜開始電圧源と前記電極経路との間に接続され、
前記傾斜開始電圧と前記走査基準電圧との和を前記電極経路に出力することにより、前記初期化パルス電圧を生成する、プラズマディスプレイの駆動装置。
【発明の詳細な説明】
【技術分野】
【０００１】
本発明は、壁掛けテレビや大型モニターに用いられるプラズマディスプレイパネルの駆動方法およびプラズマディスプレイの駆動装置に関するものである。
【背景技術】
【０００２】
図１４に、プラズマディスプレイパネル（以下、「パネル」と略記する）として代表的な交流面放電型パネルの部分斜視図を示す。パネルでは、対向配置された前面板１００と背面板２００との間に多数の放電セル１２が形成されている。前面板１００では、１対の走査電極４と維持電極５とからなる表示電極対が、前面ガラス基板１上に互いに平行に複数対形成されている。さらに、それらの表示電極対を覆うように、誘電体層２および保護層３が形成されている。背面板２００では、背面ガラス基板６上に複数の互いに平行なデータ電極８が形成され、それらを覆うように誘電体層７が形成され、さらにその上にデータ電極８と平行に複数の隔壁９が形成されている。誘電体層７の表面および隔壁９の側面には、蛍光体層１０が形成されている。そして、表示電極対とデータ電極８とが立体交差するように、前面板１００と背面板２００とが対向配置されて密封されている。内部の放電空間１１には、たとえば分圧比で５％のキセノンを含む放電ガスが封入されている。表示電極対とデータ電極８とが対向する部分には、放電セル１２が形成される。このような構成のパネルにおいて、各放電セル１２内でガス放電により紫外線を発生させ、この紫外線で赤色（Ｒ）、緑色（Ｇ）、および青色（Ｂ）の各色の蛍光体を励起発光させてカラー表示を行っている。
【０００３】
パネルを駆動する構成としては、サブフィールド法が一般に用いられている。サブフィールド法では、映像信号の１フィールド期間を、輝度の重みづけを有する複数のサブフィールドに分割する。各サブフィールドでは、輝度の重みづけに対応した回数だけ放電セルに放電を起こし、発光させるサブフィールドの組み合わせによって階調表示を行う。
【０００４】
各サブフィールドは、初期化期間、書き込み期間、および維持期間を有する。初期化期間では、放電開始電圧未満となる電圧から、放電開始電圧を越える電圧に向かって緩やかに上昇する傾斜電圧を印加し、初期化放電を発生させる。これにより、続く書き込み動作に必要な壁電荷を各電極上に形成するとともに、書き込み放電を安定して発生させるためのプライミング粒子（放電のための起爆剤、すなわち励起粒子）を発生させる。書き込み期間では、表示を行うべき放電セルに選択的に書き込みパルス電圧を印加して、書き込み放電を発生させ壁電荷を形成する。そして維持期間では、走査電極と維持電極とからなる表示電極対に交互に維持パルス電圧を印加し、書き込み放電を起こした放電セルにおいて維持放電を発生させる。このように、維持放電により対応する放電セルの蛍光体層を発光させることによって、画像表示を行う。
【０００５】
しかしながら、このようなパネルでは、動作環境の温度によってセルの放電開始電圧が異なり、特に低温時の放電開始電圧が基準温度（たとえば２５度Ｃ）時の放電開始電圧より高くなる。このため、初期化期間が一定の状態では、低温時には走査電極での壁電荷の蓄積量が少なくなり、書き込み不良が発生し表示不良が発生するという課題があった。
【０００６】
この動作環境の温度の影響を受ける課題を解決するため、パネルの温度に基づいて傾斜電圧の持続期間（すなわち、傾斜電圧期間）を制御し、初期化期間における傾斜電圧の最高電圧を表す傾斜終了電圧を変化させる技術が開示されている（特許文献１）。
【０００７】
図１５は、初期化期間における傾斜電圧の波形図である。
【０００８】
初期化期間開始直前には、走査電極は０（Ｖ）に維持される。時点ｔ１Ｒには、放電開始電圧未満である正電圧Ｖｐが走査電極に印加される。時点ｔ２Ｒには、走査電極には傾斜電圧が印加される。セルの放電開始電圧は温度により異なるため（図１５において低温時Ｖｆｓ１、基準温度時Ｖｆｓ０、高温時Ｖｆｓ２）、どの温度においても書き込み不良を発生させない適正な壁電荷を形成するように、高温時には時点ｔ３２Ｒ、基準温度時には時点ｔ３０Ｒ、低温時には時点ｔ３１Ｒまで傾斜電圧が印加される。そのため低温時の傾斜終了電圧はＶｒ１、基準温度時の傾斜終了電圧はＶｒ０、高温時の傾斜終了電圧はＶｒ２となる。また低温時の傾斜電圧期間はＴ１Ｒ、基準温度時の傾斜電圧期間はＴ０Ｒ、高温時の傾斜電圧期間はＴ２Ｒとなる。次に時点ｔ３Ｒには、走査電極の電圧は放電開始電圧以下の電圧Ｖｐに低下する。その後時点ｔ４Ｒには、下降する傾斜電圧が印加される。
【０００９】
このように特許文献１に開示されている技術においては、低温時には傾斜電圧期間をＴ１Ｒのように長くすることで傾斜終了電圧を上昇させ、高温時には傾斜電圧期間をＴ２Ｒのように短くすることで傾斜終了電圧を低下させている。傾斜電圧期間を調整することで傾斜終了電圧が変化するので、パネルの温度が変化しても、走査電極における適正な壁電荷の蓄積量が確保され、その結果、書き込み不良の発生が防止されるとしている。
【先行技術文献】
【特許文献】
【００１０】
【特許文献１】特開２００４−２２６７９２号公報
【発明の概要】
【発明が解決しようとする課題】
【００１１】
しかしながら、上述した従来例においては、傾斜電圧期間を調整することで傾斜終了電圧を変化させているため、最大となる傾斜電圧期間、すなわち低温時における傾斜電圧期間Ｔ１Ｒを、初期化パルス電圧の傾斜電圧期間として設定する必要がある。そのため、各サブフィールド期間内に占める時間比率が大きくなる。一方で、輝度を増大するためには、維持パルス数の増加が必要となる。また、パネルを高精細度化するためには、高精細パネル駆動時の書き込み期間の増大が必要となる。さらに、コントラストを改善するためには、サブフィールド数の増加による階調数の増加が必要となる。それゆえに、高輝度化、高精細度化、および高コントラスト化などのパネルの高画質化のために、初期化期間の短縮化が必要となる。このように、上述した従来例においては、長い傾斜電圧期間Ｔ１Ｒを確保する必要があるため、パネルの高画質化が難しくなるという課題があった。
【００１２】
本発明は、このような課題を解決するためになされたものであり、パネルの温度変化に対して、パネルの書き込み不良を防止するとともに、高画質化が達成可能なプラズマディスプレイパネルの駆動方法およびプラズマディスプレイの駆動装置を提供することを目的とする。
【課題を解決するための手段】
【００１３】
上述した目的を達成するために、本発明のプラズマディスプレイの駆動方法は、プラズマディスプレイパネルを構成する複数の所定電極に、初期化期間において初期化パルス電圧を印加することが可能な、プラズマディスプレイの駆動方法であって、前記初期化パルス電圧のうち緩やかに上昇する傾斜電圧の開始電圧を表す傾斜開始電圧を生成するステップを有し、前記傾斜開始電圧を生成するステップは、前記傾斜開始電圧を変化させる。
【００１４】
また、本発明のプラズマディスプレイの駆動装置は、プラズマディスプレイパネルを構成する複数の所定電極に、初期化期間において初期化パルス電圧を印加することが可能な、プラズマディスプレイの駆動装置であって、前記初期化パルス電圧のうち緩やかに上昇する傾斜電圧の開始電圧を表す傾斜開始電圧を生成する傾斜開始電圧源を有し、前記傾斜開始電圧源は、前記傾斜開始電圧を変化させる。
【００１５】
さらに、本発明のプラズマディスプレイの駆動装置は、プラズマディスプレイパネルを構成する複数の所定電極に、初期化期間において初期化パルス電圧を印加することが可能な、プラズマディスプレイの駆動装置であって、緩やかに上昇する傾斜電圧の開始電圧を表す傾斜開始電圧を生成する傾斜開始電圧源と、所望の走査基準電圧を発生させる走査基準電圧源と、前記所定電極に接続可能な電極経路と、を有し、前記傾斜開始電圧源は、前記傾斜開始電圧を変化させ、前記走査基準電圧源は、前記傾斜開始電圧源と前記電極経路との間に接続され、前記傾斜開始電圧と前記走査基準電圧との和を前記電極経路に出力することにより、前記初期化パルス電圧を生成する。
【発明の効果】
【００１６】
本発明のプラズマディスプレイパネルの駆動方法およびプラズマディスプレイの駆動装置によれば、傾斜開始電圧源を備えることにより、プラズマディスプレイパネルの温度変化に対して傾斜開始電圧を上下に変化させるので、連動して上下に変化する傾斜電圧において、常に所定の時点で放電開始とすることができる。これにより、傾斜電圧に対応する傾斜電圧期間のうち、放電開始時点から傾斜電圧期間の終了時点までの傾斜電圧必要期間が、プラズマディスプレイパネルの温度変化に対して所定値に保持される。このため、低温時においても初期化放電による壁電荷の蓄積量が適正に確保され、その結果、書き込み不良およびプラズマディスプレイパネルの表示不良を防止することが可能となる。さらに、傾斜電圧期間を低温時にも高温時と同等の、最低限の期間に保持することができる。これにより、初期化期間の短縮化が可能となるため、維持パルス数の増加による高輝度化、書き込み期間の増加による高精細度化、およびサブフィールド数の増加による高コントラスト化などの、プラズマディスプレイパネルの高画質化を達成することが可能となる。
【図面の簡単な説明】
【００１７】
【図１Ａ】プラズマディスプレイパネルの電極配列を示す模式図
【図１Ｂ】プラズマディスプレイパネルの駆動波形の一例を示す波形図
【図２Ａ】本発明の実施の形態１における走査電極駆動回路の構成例を示す回路図
【図２Ｂ】本発明の実施の形態１におけるスイッチグループ回路の構成例を示す回路図
【図３】本発明の実施の形態１における走査電極駆動回路の駆動波形およびタイミング波形の一例を示す波形図
【図４】本発明の実施の形態１における連動制御部の構成例を示すブロック図
【図５】本発明の実施の形態２における走査電極駆動回路の構成例を示す回路図
【図６】本発明の実施の形態２における連動制御部の構成例を示すブロック図
【図７】本発明の実施の形態２における連動制御部の他の構成例を示すブロック図
【図８】本発明の実施の形態３における走査電極駆動回路の構成例を示す回路図
【図９】本発明の実施の形態４における別の走査電極駆動回路の構成例を示す回路図
【図１０】本発明の実施の形態４における走査電極駆動回路の駆動波形およびタイミング波形の一例を示す波形図
【図１１】本発明の実施の形態５における走査電極駆動回路の構成例を示す回路図
【図１２】本発明の実施の形態５における連動制御部の構成例を示すブロック図
【図１３】本発明の実施の形態５における走査電極駆動回路の駆動波形およびタイミング波形の一例を示す波形図
【図１４】従来例における交流面放電型パネルの一部分を示す斜視図
【図１５】従来例における走査電極駆動回路の駆動波形およびタイミング波形を示す波形図
【発明を実施するための形態】
【００１８】
以下、本発明を実施するための形態に関するいくつかの例について、図面を参照しながら説明する。図面において、実質的に同一の構成、動作、および効果を表す要素については、同一の符号を付す。また、以下において記述される数字は、全て本発明を具体的に説明するために例示するものであり、本発明は例示された数字に制限されない。さらに、オン／オフにより表されるスイッチング状態は、本発明を具体的に説明するために例示するものであり、例示されたスイッチング状態の異なる組み合わせにより、同等な結果を得ることも可能である。また、構成要素間の接続関係は、本発明を具体的に説明するために例示するものであり、本発明の機能を実現する接続関係はこれに限定されない。さらに、以下の実施形態は、ハードウェアおよび／またはソフトウェアを用いて構成されるが、ハードウェアを用いる構成は、ソフトウェアを用いても構成可能であり、ソフトウェアを用いる構成は、ハードウェアを用いても構成可能である。また、以下で説明する複数の実施の形態における各構成要素をいくつか組み合わせることにより、新たな実施の形態を構成してもよい。
【００１９】
（実施の形態１）
図１Ａは、プラズマディスプレイパネル１５（以下、「パネル」と略記する）の電極配列を示す模式図である。パネル１５には、行方向に長いｎ本の走査電極ＳＣ１、ＳＣ２、・・・、ＳＣｎおよびｎ本の維持電極ＳＵ１、ＳＵ２、・・・、ＳＵｎが配列され、列方向に長いｍ本のデータ電極Ｄ１、Ｄ２、・・・、Ｄｍが配列されている。以下では、走査電極ＳＣ１、ＳＣ２、・・・、ＳＣｎは、走査電極ＳＣ１〜ＳＣｎ、走査電極ＳＣｉ（ｉ＝１〜ｎ）、または走査電極グループＳＣＧと記される。維持電極ＳＵ１、ＳＵ２、・・・、ＳＵｎは、維持電極ＳＵ１〜ＳＵｎ、維持電極ＳＵｉ（ｉ＝１〜ｎ）、または維持電極グループＳＵＧと記される。データ電極Ｄ１、Ｄ２、・・・、Ｄｍは、データ電極Ｄ１〜Ｄｍ、データ電極Ｄｊ（ｊ＝１〜ｍ）、またはデータ電極グループＤＧと記される。そして、１対の走査電極ＳＣｉおよび維持電極ＳＵｉと１つのデータ電極Ｄｊとが交差した放電空間内に、放電セルＣｉｊがｎ×ｍ個形成されている（ｉ＝１〜ｎ、ｊ＝１〜ｍ）。
【００２０】
図１Ｂは、パネル１５の駆動波形の一例を示す波形図である。各サブフィールドＳＦ１、ＳＦ２、・・・は、初期化期間Ｔｉｎ、書き込み期間Ｔｗ、および維持期間Ｔｓから構成されている。まず、サブフィールドＳＦ１における動作について説明する。サブフィールドＳＦ１の初期化期間Ｔｉｎでは、最初に全てのデータ電極Ｄ１〜Ｄｍおよび全ての維持電極ＳＵ１〜ＳＵｎを０（Ｖ）に保持する。同時に、全ての走査電極ＳＣ１〜ＳＣｎには、全ての維持電極ＳＵ１〜ＳＵｎに対して放電開始電圧未満となる正電圧Ｖｉ１から、放電開始電圧を越える正電圧Ｖｉ２に向かって緩やかに上昇する傾斜電圧Ｖｕｐ１を印加する。傾斜電圧Ｖｕｐ１が上昇する間に、全ての放電セルＣｉｊにおいて、走査電極ＳＣ１〜ＳＣｎからデータ電極Ｄ１〜Ｄｍおよび維持電極ＳＵ１〜ＳＵｎに、それぞれ一回目の微弱な初期化放電が起こる。走査電極ＳＣ１〜ＳＣｎ上（走査電極ＳＣ１〜ＳＣｎ上の保護層の表面）には、負の壁電荷が蓄積されるとともに、データ電極Ｄ１〜Ｄｍ上（データ電極Ｄ１〜Ｄｍ上の蛍光体層の表面）および維持電極ＳＵ１〜ＳＵｎ上（維持電極ＳＵ１〜ＳＵｎ上の保護層の表面）には、正の壁電荷が蓄積される。
【００２１】
その後、全ての維持電極ＳＵ１〜ＳＵｎを正電圧Ｖｅに保つ。同時に、全ての走査電極ＳＣ１〜ＳＣｎには、全ての維持電極ＳＵ１〜ＳＵｎに対して放電開始電圧未満となる正電圧Ｖｉ３から、放電開始電圧を越える大きさの負電圧Ｖｉ４に向かって緩やかに下降する傾斜電圧Ｖｄｗ１を印加する。傾斜電圧Ｖｄｗ１が下降する間に、再び全ての放電セルＣｉｊにおいて、維持電極ＳＵ１〜ＳＵｎから走査電極ＳＣ１〜ＳＣｎに、二回目の微弱な初期化放電が起こり、走査電極ＳＣ１〜ＳＣｎ上の負の壁電荷による壁電圧（負電圧）および維持電極ＳＵ１〜ＳＵｎ上の正の壁電荷による壁電圧（正電圧）が弱められる。一方、データ電極Ｄ１〜Ｄｍ上の正の壁電荷はそのまま保たれる。以上により初期化期間Ｔｉｎにおいて全ての走査電極ＳＣ１〜ＳＣｎに、傾斜電圧Ｖｕｐ１および傾斜電圧Ｖｄｗ１を含む初期化パルス電圧を印加し、初期化動作が終了する。この初期化動作で蓄積された壁電荷により、各放電セルＣｉｊ内にかかる電圧は放電開始電圧に近い状態となる。
【００２２】
サブフィールドＳＦ１の書き込み期間Ｔｗでは、全ての走査電極ＳＣ１〜ＳＣｎを電圧Ｖｃに保持し、１行目からｎ行目まで順番に走査電極ＳＣｉ（ｉ＝１〜ｎ）に負の走査パルス電圧Ｖａを印加する。それとともに、各行において映像信号に対応したデータ電極Ｄｊ（ｊ＝１〜ｍ）に正の書き込みパルス電圧Ｖｄを印加する。このとき、各放電セルＣｉｊ内には、初期化期間Ｔｉｎにおいて蓄積された壁電荷が存在する。このため、書き込みパルス電圧Ｖｄを印加したデータ電極Ｄｊと走査パルス電圧Ｖａを印加した走査電極ＳＣｉとの交差部の放電セルＣｉｊでは、データ電極Ｄｊと走査電極ＳＣｉとの間および維持電極ＳＵｉと走査電極ＳＣｉとの間に書き込み放電が起こる。その結果、走査電極ＳＣｉ上に正電荷が蓄積され、維持電極ＳＵｉ上およびデータ電極Ｄｊ上に負電荷が蓄積される。以上により、書き込み期間Ｔｗにおける書き込み動作が終了する。
【００２３】
サブフィールドＳＦ１の維持期間Ｔｓでは、まず、全ての走査電極ＳＣ１〜ＳＣｎおよび維持電極ＳＵ１〜ＳＵｎを０（Ｖ）に一旦戻す。その後、正の維持パルス電圧Ｖｓを、全ての走査電極ＳＣ１〜ＳＣｎと全ての維持電極ＳＵ１〜ＳＵｎに交互に印加する。これにより、書き込み放電を起こした放電セルＣｉｊにおいて、維持パルス電圧が印加される度に走査電極ＳＣｉと維持電極ＳＵｉとの間に維持放電が発生する。そして、維持期間Ｔｓの最終において、正の維持パルス電圧Ｖｓを全ての走査電極ＳＣ１〜ＳＣｎに印加する。その結果、維持放電を起こした放電セルＣｉｊにおいて、走査電極ＳＣｉと維持電極ＳＵｉとの間に維持放電が発生し、その放電セルＣｉｊにおける走査電極ＳＣｉ上に負電荷が蓄積されるとともに、維持電極ＳＵｉ上に正電荷が蓄積される。その後、維持パルス電圧は０（Ｖ）に戻る。以上により維持期間Ｔｓの維持動作が終了する。この維持放電によって発生する紫外線で各放電セルＣｉｊに設けられた蛍光体層を励起することにより、画像表示を行っている。
【００２４】
サブフィールドＳＦ１の維持期間Ｔｓの最後に、０（Ｖ）から電圧Ｖｅ２に向かって緩やかに上昇する傾斜電圧を、全ての維持電極ＳＵ１〜ＳＵｎに印加すると、維持放電を起こした放電セルＣｉｊにおいて、維持電極ＳＵｉと走査電極ＳＣｉとの間に微弱な消去放電が起こり、走査電極ＳＣｉ上の負電圧と維持電極ＳＵｉ上の正電圧が弱められて維持放電は停止する。以上により消去動作が終了する。
【００２５】
以上の動作において、表示が行われない放電セルＣｉｊに関しては、初期化期間Ｔｉｎに初期化放電は起こるが、書き込み放電、維持放電、および消去放電は行われない。このため、表示が行われない放電セルＣｉｊでは、走査電極ＳＣｉ上と維持電極ＳＵｉ上の壁電荷、およびデータ電極Ｄｊ上の壁電荷は、サブフィールドＳＦ１の初期化期間Ｔｉｎの終了時における状態のまま保たれる。
【００２６】
以上の初期化期間Ｔｉｎから維持期間Ｔｓにおける全ての動作により、サブフィールドＳＦ１による画像が表示される。以下、同様な動作が、各サブフィールドＳＦ１、ＳＦ２、・・・にわたって行われる。これらのサブフィールドにおいて表示される放電セルＣｉｊの輝度は、維持パルス電圧Ｖｓの印加回数により定まる。
【００２７】
図２Ａは、走査電極駆動回路４３の回路図である。走査電極駆動回路４３は、維持パルス発生回路３０、走査パルス電圧発生回路８０、初期化パルス発生回路６０、走査回路７０、主経路Ｒ１、および電極グループ経路ＲＳＣを含む。電極グループ経路ＲＳＣは、ｎ系統の電極経路ＲＳＣｉ（ｉ＝１〜ｎ）を含む。電極経路ＲＳＣｉは、走査電極ＳＣｉに接続可能である（ｉ＝１〜ｎ）。走査電極駆動回路４３は、電極経路ＲＳＣｉを介して、パネル１５を構成する走査電極ＳＣｉ（ｉ＝１〜ｎ）に、初期化期間Ｔｉｎにおいて初期化パルス電圧、書き込み期間Ｔｗにおいて走査パルス電圧、および維持期間Ｔｓにおいて維持パルス電圧を印加することができる。
【００２８】
走査回路７０は、走査基準電圧源Ｅｓｃｎ、スイッチグループ回路４０、および副経路Ｒ２を含む。スイッチグループ回路４０は、図２Ｂにおいて詳細に示すように、ｎ個のスイッチ回路４０ｉ（ｉ＝１〜ｎ）を含む。スイッチ回路４０ｉは、スイッチＳＷ３ｉ、スイッチＳＷ４ｉ、ダイオードＤ１ｉ、およびダイオードＤ２ｉを含む（ｉ＝１〜ｎ）。スイッチＳＷ３ｉの一端、スイッチＳＷ４ｉの一端、ダイオードＤ１ｉのアノード、およびダイオードＤ２ｉのカソードは、電極経路ＲＳＣｉに共通に接続される（ｉ＝１〜ｎ）。スイッチＳＷ３ｉの他端およびダイオードＤ１ｉのカソードは副経路Ｒ２に共通に接続され、スイッチＳＷ４ｉの他端およびダイオードＤ２ｉのアノードは主経路Ｒ１に共通に接続される（ｉ＝１〜ｎ）。走査基準電圧源Ｅｓｃｎの負極は主経路Ｒ１に接続され、走査基準電圧源Ｅｓｃｎの正極は副経路Ｒ２に接続される。
【００２９】
走査基準電圧源Ｅｓｃｎは、所定の走査基準電圧Ｖｓｃｎを発生させる。主経路Ｒ１の電圧を主経路電圧ＶＲ１とし、副経路Ｒ２の電圧を副経路電圧ＶＲ２とすると、
ＶＲ２＝ＶＲ１＋Ｖｓｃｎ                                          （１）
となる。スイッチ回路４０ｉは、スイッチＳＷ３ｉがオンされ、スイッチＳＷ４ｉがオフされることにより、副経路電圧ＶＲ２を選択し、副経路電圧ＶＲ２を電極経路ＲＳＣｉに出力する。一方、スイッチ回路４０ｉは、スイッチＳＷ３ｉがオフされ、スイッチＳＷ４ｉがオンされることにより、主経路電圧ＶＲ１を選択し、主経路電圧ＶＲ１を電極経路ＲＳＣｉに出力する。スイッチ回路４０ｉは、主経路電圧ＶＲ１、または主経路電圧ＶＲ１よりも走査基準電圧Ｖｓｃｎだけ高い副経路電圧ＶＲ２のうち、いずれか一方の電圧を選択し、選択された電圧を電極経路ＲＳＣｉに出力する。
【００３０】
ｎ個のスイッチ回路４０ｉ（ｉ＝１〜ｎ）のうち全部の回路が、主経路電圧ＶＲ１または副経路電圧ＶＲ２のうちいずれか一方の電圧を選択してもよい。さらに、ｎ個のスイッチ回路４０ｉ（ｉ＝１〜ｎ）のうち少なくとも１個の回路が、主経路電圧ＶＲ１または副経路電圧ＶＲ２のうち一方の電圧を選択している間、残りの回路が、他方の電圧を選択してもよい。全てのスイッチ回路４０ｉ（ｉ＝１〜ｎ）が副経路電圧ＶＲ２を選択し、副経路電圧ＶＲ２を全ての電極経路ＲＳＣｉ（ｉ＝１〜ｎ）に出力する場合、スイッチグループ回路４０は副経路電圧ＶＲ２を選択し、副経路電圧ＶＲ２を電極グループ経路ＲＳＣに出力する。一方、全てのスイッチ回路４０ｉ（ｉ＝１〜ｎ）が主経路電圧ＶＲ１を選択し、主経路電圧ＶＲ１を全ての電極経路ＲＳＣｉ（ｉ＝１〜ｎ）に出力する場合、スイッチグループ回路４０は主経路電圧ＶＲ１を選択し、主経路電圧ＶＲ１を電極グループ経路ＲＳＣに出力する。この場合、スイッチグループ回路４０は、主経路電圧ＶＲ１、または主経路電圧ＶＲ１よりも走査基準電圧Ｖｓｃｎだけ高い副経路電圧ＶＲ２のうち、いずれか一方の電圧を選択し、選択された電圧を電極グループ経路ＲＳＣに出力する。走査回路７０は、主経路電圧ＶＲ１、または主経路電圧ＶＲ１よりも走査基準電圧Ｖｓｃｎだけ高い副経路電圧ＶＲ２のうち、いずれか一方の電圧を選択し、選択された電圧を電極グループ経路ＲＳＣに出力する。
【００３１】
維持パルス発生回路３０は、電源経路ＲＶｓ、スイッチＳＷ１、およびスイッチＳＷ２を含む。電源経路ＲＶｓは、所定電圧源Ｅｓに接続可能であり、スイッチＳＷ１は電源経路ＲＶｓと主経路Ｒ１との間に接続され、スイッチＳＷ２は主経路Ｒ１と接地との間に接続される。所定電圧源Ｅｓは所定電圧Ｖｓを発生させ、電源経路ＲＶｓは所定電圧Ｖｓを受ける。維持パルス発生回路３０は、スイッチＳＷ１がオンされ、スイッチＳＷ２がオフされることにより、所定電圧Ｖｓを選択し、主経路電圧ＶＲ１を所定電圧Ｖｓにする。一方、維持パルス発生回路３０は、スイッチＳＷ１がオフされ、スイッチＳＷ２がオンされることにより、接地電圧０（Ｖ）を選択し、主経路電圧ＶＲ１を接地電圧０（Ｖ）にする。スイッチグループ回路４０は、維持期間Ｔｓでは、主経路電圧ＶＲ１を選択する。このように、維持パルス発生回路３０は、維持期間Ｔｓにおいて、所定電圧Ｖｓ（図１Ｂにおいて上述した維持パルス電圧Ｖｓに対応）および接地電圧０（Ｖ）を交互に選択することにより、スイッチグループ回路４０を介して電極グループ経路ＲＳＣへ出力し、維持パルス電圧を生成する。維持パルス発生回路３０は、放電セルＣｉｊにおける電荷を有効利用する回収回路（図示されていない）を含んでもよいが、ここでは説明を省略する。
【００３２】
走査パルス電圧発生回路８０は、電源経路ＲＶａおよびスイッチＳＷ５を含む。電源経路ＲＶａは、所定電圧源ＥＶａに接続可能であり、スイッチＳＷ５は電源経路ＲＶａと主経路Ｒ１との間に接続される。所定電圧源ＥＶａは所定電圧Ｖａを発生させ、電源経路ＲＶａは所定電圧Ｖａを受ける。書き込み期間Ｔｗでは、走査パルス電圧発生回路８０は、スイッチＳＷ５がオンされることにより、主経路電圧ＶＲ１を所定電圧Ｖａにする。この場合、スイッチ回路４０ｉは、所定電圧Ｖａ、または所定電圧Ｖａよりも走査基準電圧Ｖｓｃｎだけ高い副経路電圧ＶＲ２（図１Ｂにおいて上述した電圧Ｖｃに対応）のうち、いずれか一方の電圧を選択し、選択された電圧を電極経路ＲＳＣｉに出力する。このように、スイッチグループ回路４０は、書き込み期間Ｔｗにおいて、所定電圧Ｖａ、および所定電圧Ｖａよりも走査基準電圧Ｖｓｃｎだけ高い副経路電圧ＶＲ２を、ｎ系統の電極経路ＲＳＣｉ（ｉ＝１〜ｎ）にそれぞれ異なるタイミングで出力することにより、走査パルス電圧を生成する。なお、走査パルス電圧発生回路８０は、図１Ｂに示すように、初期化期間Ｔｉｎにおいて正電圧Ｖｉ３から負電圧Ｖｉ４に向かって緩やかに下降する傾斜電圧Ｖｄｗも生成する。
【００３３】
初期化パルス発生回路６０は、傾斜開始電圧源６１、傾斜終了電圧源６２、連動制御部５０、および受信経路Ｒ３を含む。傾斜開始電圧源６１は可変電圧源Ｅｖ１およびスイッチＳＷｓｓを含み、傾斜終了電圧源６２は可変電圧源Ｅｖ２およびスイッチＳＷｓｅを含む。可変電圧源Ｅｖ１の負極は接地され、可変電圧源Ｅｖ１の正極はスイッチＳＷｓｓの一端に接続される。可変電圧源Ｅｖ２の負極は接地され、可変電圧源Ｅｖ２の正極はスイッチＳＷｓｅの一端に接続される。スイッチＳＷｓｓの他端およびスイッチＳＷｓｅの他端は、共通に主経路Ｒ１に接続される。
【００３４】
図３は、走査電極駆動回路４３の初期化期間Ｔｉｎにおける駆動波形およびタイミング波形の一例を示す波形図である。図３の上半部は、主経路Ｒ１における主経路電圧ＶＲ１の波形を示している。可変電圧源Ｅｖ１は、変化可能な電圧を表す可変電圧Ｖｖ１を発生させる。傾斜開始電圧源６１は、可変電圧Ｖｖ１に等しい傾斜開始電圧Ｖｖｓを生成し、スイッチＳＷｓｓがオンされることにより、傾斜開始電圧Ｖｖｓを主経路Ｒ１に出力する。可変電圧源Ｅｖ２は、可変電圧Ｖｖ２を発生させる。傾斜終了電圧源６２は、可変電圧Ｖｖ２に等しい傾斜終了電圧Ｖｖｅを生成する。さらに傾斜終了電圧源６２は、主経路Ｒ１が傾斜開始電圧Ｖｖｓの場合、スイッチＳＷｓｅがオンされることにより、傾斜開始電圧Ｖｖｓから、傾斜終了電圧Ｖｖｅに向かって緩やかに上昇する傾斜電圧Ｖｕｐを主経路Ｒ１に出力する。すなわち傾斜電圧Ｖｕｐは、傾斜開始電圧Ｖｖｓで開始し、傾斜終了電圧Ｖｖｅで終了する。傾斜開始電圧Ｖｖｓは傾斜電圧Ｖｕｐの開始電圧を表し、傾斜終了電圧Ｖｖｅは傾斜電圧Ｖｕｐの終了電圧を表す。傾斜電圧Ｖｕｐを生成するために、スイッチＳＷｓｅは、たとえばＦＥＴ（Ｆｉｅｌｄ  Ｅｆｆｅｃｔ  Ｔｒａｎｓｉｓｔｏｒ：電界効果トランジスタ）およびＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）などで構成され、ミラー効果を利用する。
【００３５】
スイッチグループ回路４０は、初期化期間Ｔｉｎでは、主経路電圧ＶＲ１を選択する。したがって、電極グループ経路ＲＳＣにおける波形は、主経路電圧ＶＲ１の波形と大略同等になる。すなわち、スイッチグループ回路４０は、傾斜電圧Ｖｕｐに大略同等な傾斜電圧Ｖｕｐ１を電極グループ経路ＲＳＣへ出力し、初期化パルス電圧を生成する（図１Ｂを参照）。ここで傾斜電圧Ｖｕｐ１は、傾斜開始電圧Ｖｖｓに大略等しい傾斜開始電圧Ｖｉ１から、傾斜終了電圧Ｖｖｅに大略等しい傾斜終了電圧Ｖｉ２に向かって緩やかに上昇する。
【００３６】
パネル状態検出部９０は、パネル１５自身の温度もしくはパネル１５周囲の温度、またはパネル１５の動作時間（たとえば、点灯累積時間）などの、パネル１５の状態を検出し、パネル１５の状態に関連付けられた状態信号Ｓｔを生成する。状態信号Ｓｔは、パネル１５の温度に関連付けられた状態信号もしくはパネル１５の動作時間に関連付けられた状態信号のうち、いずれか一方の信号、または両方を組み合わせた信号である。受信経路Ｒ３は、状態信号Ｓｔを受けることが可能な経路である。以下では、パネル状態検出部９０はパネル１５の温度を検出し、パネル１５の温度に関連付けられた状態信号Ｓｔを生成するとしている。パネル状態検出部９０は、パネル１５の温度が所定の基準温度（たとえば２５度Ｃ）の場合、状態信号Ｓｔを温度状態ＵｓＢにする。
【００３７】
可変電圧源Ｅｖ１は、受信経路Ｒ３を介して状態信号Ｓｔを受ける。さらに可変電圧源Ｅｖ１は、状態信号Ｓｔに基づいて制御され、可変電圧Ｖｖ１を変化させる。図３の上半部に示すように、状態信号Ｓｔが温度状態ＵｓＢの場合、可変電圧源Ｅｖ１は可変電圧Ｖｖ１を所定の基準温度時傾斜開始電圧ＶｖｓＢにし、傾斜開始電圧源６１は傾斜開始電圧Ｖｖｓを基準温度時傾斜開始電圧ＶｖｓＢにする。
【００３８】
連動制御部５０は、可変電圧Ｖｖ１に連動して変化する連動制御信号Ｓｃを生成する。図３の上半部に示すように、連動制御部５０は、可変電圧Ｖｖ１が基準温度時傾斜開始電圧ＶｖｓＢの場合、連動制御信号Ｓｃを制御状態ＵｅＢにする。
【００３９】
図４は、連動制御部５０の構成例を示している。連動制御部５０は、電圧変化検出部５０１および連動制御信号生成部５０２を含む。電圧変化検出部５０１は、可変電圧Ｖｖ１の電圧変化を検出し、電圧変化検出信号Ｓ５０１を生成する。たとえば電圧変化検出信号Ｓ５０１は、傾斜開始電圧Ｖｖｓから基準温度時傾斜開始電圧ＶｖｓＢを差し引いた差電圧を表す。図３の上半部に示すように、可変電圧Ｖｖ１が基準温度時傾斜開始電圧ＶｖｓＢの場合、電圧変化検出部５０１は電圧変化検出信号Ｓ５０１を０（Ｖ）にする。連動制御信号生成部５０２は、電圧変化検出信号Ｓ５０１に基づいて、連動制御信号Ｓｃを生成する。電圧変化検出信号Ｓ５０１が０（Ｖ）の場合、連動制御信号生成部５０２は連動制御信号Ｓｃを制御状態ＵｅＢにする。
【００４０】
可変電圧源Ｅｖ２は、連動制御信号Ｓｃに基づいて制御され、可変電圧Ｖｖ２を変化させる。図３の上半部に示すように、連動制御信号Ｓｃが制御状態ＵｅＢの場合、可変電圧源Ｅｖ２は可変電圧Ｖｖ２を所定の基準温度時傾斜終了電圧ＶｖｅＢにし、傾斜終了電圧源６２は傾斜終了電圧Ｖｖｅを基準温度時傾斜終了電圧ＶｖｅＢにする。
【００４１】
図３の上半部に示すように、パネル１５の温度が基準温度の場合、すなわち温度状態ＵｓＢおよび制御状態ＵｅＢの場合、傾斜電圧Ｖｕｐが時点ｔＦにおける基準温度時放電開始電圧ＶｆｓＢに到達すると、放電セルＣｉｊは放電開始となる。時点ｔＦは、放電開始時点ｔＦとも呼ばれる。
【００４２】
図３の下半部は、各スイッチのオン／オフ状態（オン状態がＯＮ、オフ状態がＯＦＦ）を示している。図３および図２Ａを用い、パネル１５の温度が基準温度であるとして、走査電極駆動回路４３の動作を説明する。時点ｔ１以前には、スイッチＳＷ２およびスイッチＳＷ４ｉ（ｉ＝１〜ｎ）がオン（他のスイッチはオフ）されることにより、維持パルス発生回路３０は、主経路Ｒ１および電極グループ経路ＲＳＣを０（Ｖ）に保持する。初期化期間Ｔｉｎの間、スイッチＳＷ４ｉは常にオンされているので、電極グループ経路ＲＳＣの電圧は、常に主経路電圧ＶＲ１に等しい。時点ｔ１においてスイッチＳＷ２がオフされスイッチＳＷｓｓがオンされることにより、傾斜開始電圧源６１は、基準温度時放電開始電圧ＶｆｓＢ未満の基準温度時傾斜開始電圧ＶｖｓＢを主経路Ｒ１に出力する。
【００４３】
時点ｔ２においてスイッチＳＷｓｓがオフされスイッチＳＷｓｅがオンされことにより、傾斜終了電圧源６２は、基準温度時傾斜開始電圧ＶｖｓＢから、基準温度時放電開始電圧ＶｆｓＢを越える基準温度時傾斜終了電圧ＶｖｅＢに向かって緩やかに上昇する傾斜電圧Ｖｕｐを主経路Ｒ１に出力し始める。時点ｔ３において、傾斜電圧Ｖｕｐは基準温度時傾斜終了電圧ＶｖｅＢに到達する。時点ｔ２から時点ｔ３までの期間は、初期化パルス電圧のうち傾斜電圧Ｖｕｐに対応する期間であり、傾斜電圧期間Ｔｕｐと呼ばれる。その後、傾斜終了電圧源６２は、主経路Ｒ１を基準温度時傾斜終了電圧ＶｖｅＢに保持する。次に、時点ｔ３ａにおいてスイッチＳＷｓｅがオフされスイッチＳＷｓｓがオンされることにより、傾斜開始電圧源６１は、主経路Ｒ１を基準温度時放電開始電圧ＶｆｓＢ未満の基準温度時傾斜開始電圧ＶｖｓＢに低下させる。その後、時点ｔ４においてスイッチＳＷｓｓがオフされスイッチＳＷ５がオンされることにより、走査パルス電圧発生回路８０は、下降する傾斜電圧Ｖｄｗを主経路Ｒ１に出力する。
【００４４】
なお、時点ｔ３ａにおいてスイッチＳＷｓｓがオンされることにより、傾斜開始電圧源６１が、主経路Ｒ１を基準温度時放電開始電圧ＶｆｓＢ未満の基準温度時傾斜開始電圧ＶｖｓＢに低下させるとした。しかし、スイッチＳＷ１がオンされることにより、維持パルス発生回路３０が、主経路Ｒ１を基準温度時放電開始電圧ＶｆｓＢ未満の所定電圧Ｖｓに低下させるとしてもよい。
【００４５】
次に、パネル１５の温度が基準温度から変化する場合について説明する。パネル状態検出部９０は、パネル１５の温度が基準温度よりも高い場合、状態信号Ｓｔを温度状態ＵｓＨにし、パネル１５の温度が基準温度よりも低い場合、状態信号Ｓｔを温度状態ＵｓＬにする。パネル状態検出部９０は、パネル１５の温度が、基準温度よりも高い場合から基準温度を経て基準温度よりも低い場合へと、連続的に低下するのにそれぞれ対応して、状態信号Ｓｔを、温度状態ＵｓＨから温度状態ＵｓＢを経て温度状態ＵｓＬへと、連続的に変化させる。
【００４６】
図３の上半部に示すように、パネル１５の温度が温度状態ＵｓＨの場合の放電開始電圧は高温時放電開始電圧ＶｆｓＨと呼ばれ、パネル１５の温度が温度状態ＵｓＬの場合の放電開始電圧は低温時放電開始電圧ＶｆｓＬと呼ばれる。基準温度時放電開始電圧ＶｆｓＢと高温時放電開始電圧ＶｆｓＨとの差の絶対値は高温時差電圧ｄＶＨと呼ばれ、低温時放電開始電圧ＶｆｓＬと基準温度時放電開始電圧ＶｆｓＢとの差の絶対値は低温時差電圧ｄＶＬと呼ばれる。放電セルＣｉｊの放電開始電圧は、パネル１５の温度が低下するにつれて上昇する。放電開始電圧は、パネル１５の温度が温度状態ＵｓＨから温度状態ＵｓＢへと低下するのにそれぞれ対応して、高温時放電開始電圧ＶｆｓＨから基準温度時放電開始電圧ＶｆｓＢへと、高温時差電圧ｄＶＨの大きさだけ連続的に上昇する。さらに放電開始電圧は、パネル１５の温度が温度状態ＵｓＢから温度状態ＵｓＬへと低下するのにそれぞれ対応して、基準温度時放電開始電圧ＶｆｓＢから低温時放電開始電圧ＶｆｓＬへと、低温時差電圧ｄＶＬの大きさだけ連続的に上昇する。
【００４７】
状態信号Ｓｔが温度状態ＵｓＨの場合、可変電圧源Ｅｖ１は可変電圧Ｖｖ１を基準温度時傾斜開始電圧ＶｖｓＢよりも高温時差電圧ｄＶＨの大きさだけ低い高温時傾斜開始電圧ＶｖｓＨにし、傾斜開始電圧源６１は傾斜開始電圧Ｖｖｓを高温時傾斜開始電圧ＶｖｓＨにする。さらに状態信号Ｓｔが温度状態ＵｓＬの場合、可変電圧源Ｅｖ１は可変電圧Ｖｖ１を基準温度時傾斜開始電圧ＶｖｓＢよりも低温時差電圧ｄＶＬの大きさだけ高い低温時傾斜開始電圧ＶｖｓＬにし、傾斜開始電圧源６１は傾斜開始電圧Ｖｖｓを低温時傾斜開始電圧ＶｖｓＬにする。傾斜開始電圧源６１は、状態信号Ｓｔが、温度状態ＵｓＨから温度状態ＵｓＢを経て温度状態ＵｓＬへと、連続的に変化するのにそれぞれ対応して、傾斜開始電圧Ｖｖｓを、高温時傾斜開始電圧ＶｖｓＨから基準温度時傾斜開始電圧ＶｖｓＢを経て低温時傾斜開始電圧ＶｖｓＬへと、単調増加的に変化させる。
【００４８】
連動制御部５０は、可変電圧Ｖｖ１が高温時傾斜開始電圧ＶｖｓＨの場合、連動制御信号Ｓｃを制御状態ＵｅＨにし、可変電圧Ｖｖ１が低温時傾斜開始電圧ＶｖｓＬの場合、連動制御信号Ｓｃを制御状態ＵｅＬにする。連動制御部５０は、可変電圧Ｖｖ１が、高温時傾斜開始電圧ＶｖｓＨから基準温度時傾斜開始電圧ＶｖｓＢを経て低温時傾斜開始電圧ＶｖｓＬへと、連続的に上昇するのにそれぞれ対応して、連動制御信号Ｓｃを、制御状態ＵｅＨから制御状態ＵｅＢを経て制御状態ＵｅＬへと、連続的に変化させる。
【００４９】
図４において、電圧変化検出部５０１は、可変電圧Ｖｖ１が高温時傾斜開始電圧ＶｖｓＨの場合、電圧変化検出信号Ｓ５０１を、負符号をつけた（すなわち、負の）高温時差電圧ｄＶＨにする。さらに電圧変化検出部５０１は、可変電圧Ｖｖ１が低温時傾斜開始電圧ＶｖｓＬの場合、電圧変化検出信号Ｓ５０１を低温時差電圧ｄＶＬにする。電圧変化検出部５０１は、可変電圧Ｖｖ１が、高温時傾斜開始電圧ＶｖｓＨから基準温度時傾斜開始電圧ＶｖｓＢを経て低温時傾斜開始電圧ＶｖｓＬへと、連続的に上昇するのにそれぞれ対応して、電圧変化検出信号Ｓ５０１を、負の高温時差電圧ｄＶＨから０（Ｖ）を経て低温時差電圧ｄＶＬへと、単調増加的に変化させる。
【００５０】
連動制御信号生成部５０２は、電圧変化検出信号Ｓ５０１が負の高温時差電圧ｄＶＨの場合、連動制御信号Ｓｃを制御状態ＵｅＨにし、電圧変化検出信号Ｓ５０１が低温時差電圧ｄＶＬの場合、連動制御信号Ｓｃを制御状態ＵｅＬにする。連動制御信号生成部５０２は、電圧変化検出信号Ｓ５０１が、負の高温時差電圧ｄＶＨから０（Ｖ）を経て低温時差電圧ｄＶＬへと、連続的に上昇するのにそれぞれ対応して、連動制御信号Ｓｃを、制御状態ＵｅＨから制御状態ＵｅＢを経て制御状態ＵｅＬへと、連続的に変化させる。
【００５１】
連動制御信号Ｓｃが制御状態ＵｅＨの場合、可変電圧源Ｅｖ２は可変電圧Ｖｖ２を基準温度時傾斜終了電圧ＶｖｅＢよりも高温時差電圧ｄＶＨの大きさだけ低い高温時傾斜終了電圧ＶｖｅＨにし、傾斜終了電圧源６２は傾斜終了電圧Ｖｖｅを高温時傾斜終了電圧ＶｖｅＨにする。さらに連動制御信号Ｓｃが制御状態ＵｅＬの場合、可変電圧源Ｅｖ２は可変電圧Ｖｖ２を基準温度時傾斜終了電圧ＶｖｅＢよりも低温時差電圧ｄＶＬの大きさだけ高い低温時傾斜終了電圧ＶｖｅＬにし、傾斜終了電圧源６２は傾斜終了電圧Ｖｖｅを低温時傾斜終了電圧ＶｖｅＬにする。傾斜終了電圧源６２は、連動制御信号Ｓｃが、制御状態ＵｅＨから制御状態ＵｅＢを経て制御状態ＵｅＬへと、連続的に変化するのにそれぞれ対応して、傾斜終了電圧Ｖｖｅを、高温時傾斜終了電圧ＶｖｅＨから基準温度時傾斜終了電圧ＶｖｅＢを経て低温時傾斜終了電圧ＶｖｅＬへと、単調増加的に変化させる。
【００５２】
このように、傾斜開始電圧Ｖｖｓは、パネル１５の温度が低下するのにそれぞれ対応して、高温時傾斜開始電圧ＶｖｓＨから基準温度時傾斜開始電圧ＶｖｓＢへと、高温時差電圧ｄＶＨの大きさだけ連続的に上昇する。傾斜終了電圧Ｖｖｅは、傾斜開始電圧Ｖｖｓの状態に連動して、高温時傾斜終了電圧ＶｖｅＨから基準温度時傾斜終了電圧ＶｖｅＢへと、高温時差電圧ｄＶＨの大きさだけ連続的に上昇する。傾斜開始電圧Ｖｖｓは、パネル１５の温度がさらに低下するのに対応して、基準温度時傾斜開始電圧ＶｖｓＢから低温時傾斜開始電圧ＶｖｓＬへと、低温時差電圧ｄＶＬの大きさだけ連続的に上昇する。傾斜終了電圧Ｖｖｅは、傾斜開始電圧Ｖｖｓの状態に連動して、基準温度時傾斜終了電圧ＶｖｅＢから低温時傾斜終了電圧ＶｖｅＬへと、低温時差電圧ｄＶＬの大きさだけ連続的に上昇する。
【００５３】
したがって、傾斜電圧Ｖｕｐは、パネル１５の温度変化に対して、傾斜電圧Ｖｕｐの傾きを所定値に保持しながら上下に変化する。すなわち、傾斜終了電圧源６２は、傾斜開始電圧Ｖｖｓの変化に対して、傾斜電圧Ｖｕｐの傾きを所定値に保持する。また、傾斜電圧Ｖｕｐは、パネル１５の温度変化に対して、傾斜電圧期間Ｔｕｐを所定値に保持しながら上下に変化する。すなわち、傾斜終了電圧源６２は、傾斜開始電圧Ｖｖｓの変化に対して、傾斜電圧期間Ｔｕｐを所定値に保持する。さらに、傾斜開始電圧Ｖｖｓ、傾斜終了電圧Ｖｖｅ、および傾斜電圧Ｖｕｐは、パネル１５の温度変化に対して、放電開始電圧の変化分だけ上下に平行に変化する。それゆえに、傾斜電圧Ｖｕｐにおいて放電セルＣｉｊが放電開始となる時点ｔＦは、パネル１５の温度変化に対して、所定時点に保持される。
【００５４】
このように、実施の形態１の走査電極駆動回路４３によれば、傾斜開始電圧源６１を備えることにより、パネル１５の温度変化に対して傾斜開始電圧Ｖｖｓを上下に変化させるので、連動して上下に変化する傾斜電圧Ｖｕｐにおいて、常に所定の時点ｔＦで放電開始とすることができる。これにより、傾斜電圧Ｖｕｐに対応する傾斜電圧期間Ｔｕｐのうち、放電開始時点ｔＦから傾斜電圧期間Ｔｕｐの終了時点までの傾斜電圧必要期間Ｔｕｐｆが、パネル１５の温度変化に対して所定値に保持される。このため、低温時においても初期化放電による壁電荷の蓄積量が適正に確保され、その結果、書き込み不良およびパネル１５の表示不良を防止することが可能となる。さらに、傾斜電圧期間Ｔｕｐを低温時にも高温時と同等の、最低限の期間に保持することができる。これにより、初期化期間Ｔｉｎの短縮化が可能となるため、維持パルス数の増加による高輝度化、書き込み期間の増加による高精細度化、およびサブフィールド数の増加による高コントラスト化などの、パネル１５の高画質化を達成することが可能となる。
【００５５】
なお、傾斜開始電圧源６１は、各サブフィールドで傾斜開始電圧Ｖｖｓを変化させてもよい。たとえば傾斜開始電圧源６１は、傾斜開始電圧Ｖｖｓを、サブフィールドＳＦ１では状態信号Ｓｔに基づいて設定し、サブフィールドＳＦ２では０（Ｖ）に設定する。この場合、サブフィールドＳＦ２の初期化パルス電圧による発光が低下することで、コントラストが改善されるとともに、階調数を増加させることもできる。
【００５６】
（実施の形態２）
図５は、走査電極駆動回路４３Ａの回路図である。走査電極駆動回路４３Ａが図１の走査電極駆動回路４３と異なる点は、可変電圧源Ｅｖ１が所定電圧源Ｅ１および可変電圧源Ｅｖ３によって構成され、可変電圧源Ｅｖ２が所定電圧源Ｅ２および可変電圧源Ｅｖ４によって構成されている点である。走査電極駆動回路４３Ａにおけるその他の構成、動作、および効果は、走査電極駆動回路４３と同等であるので、説明を省略する。
【００５７】
走査電極駆動回路４３Ａは、維持パルス発生回路３０、走査パルス電圧発生回路８０、初期化パルス発生回路６０Ａ、走査回路７０、主経路Ｒ１、および電極グループ経路ＲＳＣを含む。初期化パルス発生回路６０Ａは、傾斜開始電圧源６１Ａ、傾斜終了電圧源６２Ａ、連動制御部５１、および受信経路Ｒ３を含む。傾斜開始電圧源６１Ａは、所定電圧源Ｅ１、可変電圧源Ｅｖ３、およびスイッチＳＷｓｓを含み、傾斜終了電圧源６２Ａは、所定電圧源Ｅ２、可変電圧源Ｅｖ４、およびスイッチＳＷｓｅを含む。所定電圧源Ｅ１の負極は接地され、所定電圧源Ｅ１の正極は可変電圧源Ｅｖ３の負極に接続され、可変電圧源Ｅｖ３の正極はスイッチＳＷｓｓの一端に接続される。所定電圧源Ｅ２の負極は接地され、所定電圧源Ｅ２の正極は可変電圧源Ｅｖ４の負極に接続され、可変電圧源Ｅｖ４の正極はスイッチＳＷｓｅの一端に接続される。スイッチＳＷｓｓの他端およびスイッチＳＷｓｅの他端は、共通に主経路Ｒ１に接続される。
【００５８】
所定電圧源Ｅ１は所定電圧Ｖ１を発生させ、可変電圧源Ｅｖ３は可変電圧Ｖｖ３を発生させる。傾斜開始電圧源６１Ａは、所定電圧Ｖ１と可変電圧Ｖｖ３との和に等しい傾斜開始電圧Ｖｖｓを生成し、スイッチＳＷｓｓがオンされることにより、傾斜開始電圧Ｖｖｓを主経路Ｒ１に出力する。所定電圧源Ｅ２は所定電圧Ｖ２を発生させ、可変電圧源Ｅｖ４は可変電圧Ｖｖ４を発生させる。傾斜終了電圧源６２Ａは、所定電圧Ｖ２と可変電圧Ｖｖ４との和に等しい傾斜終了電圧Ｖｖｅを生成する。さらに傾斜終了電圧源６２Ａは、主経路Ｒ１が傾斜開始電圧Ｖｖｓの場合、スイッチＳＷｓｅがオンされることにより、傾斜開始電圧Ｖｖｓから、傾斜終了電圧Ｖｖｅに向かって緩やかに上昇する傾斜電圧Ｖｕｐを主経路Ｒ１に出力する。
【００５９】
可変電圧源Ｅｖ３は、受信経路Ｒ３を介して状態信号Ｓｔを受ける。さらに可変電圧源Ｅｖ３は、状態信号Ｓｔに基づいて制御され、可変電圧Ｖｖ３を変化させる。連動制御部５１は、可変電圧Ｖｖ３に連動して変化する連動制御信号Ｓｃを生成する。可変電圧源Ｅｖ４は、連動制御信号Ｓｃに基づいて制御され、可変電圧Ｖｖ４を変化させる。
【００６０】
一例として、所定電圧Ｖ１は、高温時傾斜開始電圧ＶｖｓＨに設定される。可変電圧Ｖｖ３は、状態信号Ｓｔが温度状態ＵｓＨの場合、０（Ｖ）に設定され、状態信号Ｓｔが温度状態ＵｓＢの場合、高温時差電圧ｄＶＨに設定され、状態信号Ｓｔが温度状態ＵｓＬの場合、高温時差電圧ｄＶＨと低温時差電圧ｄＶＬとの和に設定される。さらに、所定電圧Ｖ２は、高温時傾斜終了電圧ＶｖｅＨに設定される。可変電圧Ｖｖ４は、連動制御信号Ｓｃが制御状態ＵｅＨの場合、０（Ｖ）に設定され、連動制御信号Ｓｃが制御状態ＵｅＢの場合、高温時差電圧ｄＶＨに設定され、連動制御信号Ｓｃが制御状態ＵｅＬの場合、高温時差電圧ｄＶＨと低温時差電圧ｄＶＬとの和に設定される。
【００６１】
このように各所定電圧Ｖ１、Ｖ２および各可変電圧Ｖｖ３、Ｖｖ４が設定される場合、図３の上半部において、所定電圧源Ｅ１およびＥ２は、それぞれ高温時傾斜開始電圧ＶｖｓＨおよび高温時傾斜終了電圧ＶｖｅＨを生成する。さらに、可変電圧源Ｅｖ３およびＥｖ４は、それぞれ傾斜開始電圧Ｖｖｓおよび傾斜終了電圧Ｖｖｅの温度変化分を生成する。連動制御部５１が可変電圧Ｖｖ３に連動して変化する連動制御信号Ｓｃを生成することにより、可変電圧Ｖｖ４は可変電圧Ｖｖ３の変化分と等しい分だけ変化する。可変電圧源Ｅｖ３と可変電圧源Ｅｖ４とは、負極の電位（すなわち、基準電位）が同一でない。このため、連動制御部５１は、可変電圧Ｖｖ３の変化分を検出し、可変電圧Ｖｖ４も同一の変化を行うように、可変電圧源Ｅｖ４を制御する。
【００６２】
図６は、連動制御部５１の構成例を示している。連動制御部５１は、電圧変化検出部５１１、電圧／周波数変換部５１３、伝達部５１４、周波数／電圧変換部５１５、および連動制御信号生成部５１２を含む。電圧／周波数変換部５１３は変換部の一例であり、周波数／電圧変換部５１５は逆変換部の一例である。電圧変化検出部５１１は、可変電圧Ｖｖ３の電圧変化を検出し、電圧変化検出信号Ｓ５１１を生成する。可変電圧源Ｅｖ３と可変電圧源Ｅｖ４とは、基準電位が同一でないため、そのままでは可変電圧源Ｅｖ３から可変電圧源Ｅｖ４への信号伝達はできない。電圧／周波数変換部５１３は、電圧変化検出信号Ｓ５１１に関連付けられた周波数を有する周波数パルス信号Ｓ５１３を生成する。すなわち、電圧／周波数変換部５１３は、電圧変化検出信号Ｓ５１１を周波数パルス信号Ｓ５１３に変換する。伝達部５１４は、周波数パルス信号Ｓ５１３を、可変電圧源Ｅｖ３とは基準電位の異なる可変電圧源Ｅｖ４側に伝達し、周波数パルス信号Ｓ５１４を生成する。周波数／電圧変換部５１５は、周波数パルス信号Ｓ５１４に関連付けられた電圧を有する変換電圧信号Ｓ５１５を生成する。すなわち、周波数／電圧変換部５１５は、周波数パルス信号Ｓ５１４を変換電圧信号Ｓ５１５に逆変換する。連動制御信号生成部５１２は、変換電圧信号Ｓ５１５に基づいて、連動制御信号Ｓｃを生成する。このように、可変電圧源Ｅｖ４の基準電位が可変電圧源Ｅｖ３と異なっても、連動制御部５１を備えることにより、可変電圧Ｖｖ４を可変電圧Ｖｖ３と同一電圧だけ変化させる連動制御信号Ｓｃを生成することができる。伝達部５１４としては、光アイソレータまたは磁気トランスなどを用いることができる。
【００６３】
図７は、連動制御部５２の構成例を示している。連動制御部５２は、図５の初期化パルス発生回路６０Ａにおいて、連動制御部５１に置き換えることができる。連動制御部５２が連動制御部５１と異なる点は、電圧／周波数変換部５１３が電圧／電流変換部５２３に変更され、周波数／電圧変換部５１５が電流／電圧変換部５２５に変更されている点である。電圧／電流変換部５２３は変換部の一例であり、電流／電圧変換部５２５は逆変換部の一例である。電圧／電流変換部５２３は、電圧変化検出信号Ｓ５１１に関連付けられた電流を有する電流信号Ｓ５２３を生成する。すなわち、電圧／電流変換部５２３は、電圧変化検出信号Ｓ５１１を電流信号Ｓ５２３に変換する。伝達部５１４は、電流信号Ｓ５２３を、可変電圧源Ｅｖ３とは基準電位の異なる可変電圧源Ｅｖ４側に伝達し、電流信号Ｓ５２４を生成する。電流／電圧変換部５２５は、電流信号Ｓ５２４に関連付けられた電圧を有する変換電圧信号Ｓ５１５を生成する。すなわち、電流／電圧変換部５２５は、電流信号Ｓ５２４を変換電圧信号Ｓ５１５に逆変換する。このように、連動制御部５２は、連動制御部５１と同様に動作することができる。
【００６４】
このように、実施の形態２の走査電極駆動回路４３Ａによれば、傾斜開始電圧源６１Ａが可変電圧源Ｅｖ３と所定電圧源Ｅ１との直列回路で構成され、傾斜終了電圧源６２Ａが可変電圧源Ｅｖ４と所定電圧源Ｅ２との直列回路で構成されるので、各可変電圧源Ｅｖ３、Ｅｖ４および各所定電圧源Ｅ１、Ｅ２を構成する部品の耐圧を低減することができる。その結果、走査電極駆動回路４３Ａのコストを、走査電極駆動回路４３に比べて低減することができる。さらに、傾斜開始電圧源６１Ａおよび傾斜終了電圧源６２Ａのそれぞれを、可変電圧源および所定電圧源による組み合わせ構成とすることにより、パネル１５の温度変化に対応する放電開始電圧の変化に、傾斜電圧Ｖｕｐの変化を容易に追従させることが可能となる。
【００６５】
（実施の形態３）
図８は、走査電極駆動回路４３Ｂの回路図である。走査電極駆動回路４３Ｂが図５の走査電極駆動回路４３Ａと異なる点は、可変電圧源Ｅｖ３が可変電圧源Ｅｖ４の機能を兼用するように構成され、連動制御部５１が省略されている点である。走査電極駆動回路４３Ｂにおけるその他の構成、動作、および効果は、走査電極駆動回路４３Ａと同等であるので、説明を省略する。
【００６６】
走査電極駆動回路４３Ｂは、維持パルス発生回路３０、走査パルス電圧発生回路８０、初期化パルス発生回路６０Ｂ、走査回路７０、主経路Ｒ１、および電極グループ経路ＲＳＣを含む。初期化パルス発生回路６０Ｂは、傾斜開始電圧源６１Ｂ、傾斜終了電圧源６２Ｂ、および受信経路Ｒ３を含む。傾斜開始電圧源６１Ｂは、可変電圧源Ｅｖ３、所定電圧源Ｅ１、およびスイッチＳＷｓｓを含み、傾斜終了電圧源６２Ｂは、可変電圧源Ｅｖ３、所定電圧源Ｅ２、およびスイッチＳＷｓｅを含む。すなわち、傾斜開始電圧源６１Ｂおよび傾斜終了電圧源６２Ｂは、可変電圧源Ｅｖ３を共有する。可変電圧源Ｅｖ３の負極は接地され、可変電圧源Ｅｖ３の正極は所定電圧源Ｅ１の負極に接続され、所定電圧源Ｅ１の正極はスイッチＳＷｓｓの一端に接続される。さらに可変電圧源Ｅｖ３の正極は、所定電圧源Ｅ２の負極にも接続され、所定電圧源Ｅ２の正極はスイッチＳＷｓｅの一端に接続される。スイッチＳＷｓｓの他端およびスイッチＳＷｓｅの他端は、共通に主経路Ｒ１に接続される。
【００６７】
可変電圧源Ｅｖ３は可変電圧Ｖｖ３を発生させ、所定電圧源Ｅ１は所定電圧Ｖ１を発生させる。傾斜開始電圧源６１Ｂは、可変電圧Ｖｖ３と所定電圧Ｖ１との和に等しい傾斜開始電圧Ｖｖｓを生成し、スイッチＳＷｓｓがオンされることにより、傾斜開始電圧Ｖｖｓを主経路Ｒ１に出力する。所定電圧源Ｅ２は所定電圧Ｖ２を発生させる。傾斜終了電圧源６２Ｂは、可変電圧Ｖｖ３と所定電圧Ｖ２との和に等しい傾斜終了電圧Ｖｖｅを生成する。さらに傾斜終了電圧源６２Ｂは、主経路Ｒ１が傾斜開始電圧Ｖｖｓの場合、スイッチＳＷｓｅがオンされることにより、傾斜開始電圧Ｖｖｓから、傾斜終了電圧Ｖｖｅに向かって緩やかに上昇する傾斜電圧Ｖｕｐを主経路Ｒ１に出力する。可変電圧源Ｅｖ３は、状態信号Ｓｔに基づいて制御され、可変電圧Ｖｖ３を変化させる。
【００６８】
状態信号Ｓｔが温度状態ＵｓＢから温度状態ＵｓＨへ変化すると、可変電圧Ｖｖ３は高温時差電圧ｄＶＨだけ低下し、傾斜開始電圧Ｖｖｓおよび傾斜終了電圧Ｖｖｅは高温時差電圧ｄＶＨだけ低下する。状態信号Ｓｔが温度状態ＵｓＢから温度状態ＵｓＬへ変化すると、可変電圧Ｖｖ３は低温時差電圧ｄＶＬだけ上昇し、傾斜開始電圧Ｖｖｓおよび傾斜終了電圧Ｖｖｅは低温時差電圧ｄＶＬだけ上昇する。したがって、初期化パルス発生回路６０Ｂは、初期化パルス発生回路６０Ａと同様に動作することができる。
【００６９】
このように、実施の形態３の走査電極駆動回路４３Ｂによれば、傾斜開始電圧源６１Ｂおよび傾斜終了電圧源６２Ｂが可変電圧源Ｅｖ３を共有することができるので、可変電圧源Ｅｖ４を省略することができる。さらに、このような共有構成により、可変電圧源Ｅｖ３から可変電圧源Ｅｖ４への情報の伝達が不要となるため、連動制御部５１を省略することができる。その結果、走査電極駆動回路４３Ｂのコストを、走査電極駆動回路４３Ａに比べてさらに低減することができる。
【００７０】
（実施の形態４）
図９は、走査電極駆動回路４３Ｃの回路図である。走査電極駆動回路４３Ｃが図８の走査電極駆動回路４３Ｂと異なる点は、所定電圧源Ｅ１が省略され、スイッチグループ回路４０の動作が変更されている点である。走査電極駆動回路４３Ｃにおけるその他の構成、動作、および効果は、走査電極駆動回路４３Ｂと同等であるので、説明を省略する。
【００７１】
走査電極駆動回路４３Ｃは、維持パルス発生回路３０、走査パルス電圧発生回路８０、初期化パルス発生回路６０Ｃ、走査回路７０、主経路Ｒ１、および電極グループ経路ＲＳＣを含む。初期化パルス発生回路６０Ｃは、傾斜開始電圧源６１Ｃ、傾斜終了電圧源６２Ｂ、および受信経路Ｒ３を含む。傾斜開始電圧源６１Ｃは、可変電圧源Ｅｖ３およびスイッチＳＷｓｓを含む。可変電圧源Ｅｖ３の負極は接地され、可変電圧源Ｅｖ３の正極はスイッチＳＷｓｓの一端に接続され、スイッチＳＷｓｓの他端は、主経路Ｒ１に接続される。
【００７２】
傾斜開始電圧源６１Ｃは、可変電圧Ｖｖ３に等しい傾斜開始電圧Ｖｖｓを生成し、スイッチＳＷｓｓがオンされることにより、傾斜開始電圧Ｖｖｓを主経路Ｒ１に出力する。傾斜終了電圧源６２Ｂは、可変電圧Ｖｖ３と所定電圧Ｖ２との和に等しい傾斜終了電圧Ｖｖｅを生成する。さらに傾斜終了電圧源６２Ｂは、主経路Ｒ１が傾斜開始電圧Ｖｖｓの場合、スイッチＳＷｓｅがオンされることにより、傾斜開始電圧Ｖｖｓから、傾斜終了電圧Ｖｖｅに向かって緩やかに上昇する傾斜電圧Ｖｕｐを主経路Ｒ１に出力する。
【００７３】
図１０は、走査電極駆動回路４３Ｃの初期化期間Ｔｉｎにおける駆動波形およびタイミング波形の一例を示す波形図である。図１０の波形が図３の波形と異なる点は、１つ目は、図３の上半部が主経路電圧ＶＲ１の波形を示しているのに対して、図１０の上半部は電極グループ経路ＲＳＣにおける波形を示していることである。２つ目は、時点ｔ１から時点ｔ４までの期間において、スイッチＳＷ３ｉおよびスイッチＳＷ４ｉのオン／オフ状態が反転していることである。
【００７４】
以下では、パネル１５の温度が基準温度の場合、すなわち温度状態ＵｓＢおよび制御状態ＵｅＢの場合について説明する。時点ｔ１以前には、スイッチＳＷ２およびスイッチＳＷ４ｉ（ｉ＝１〜ｎ）がオン（他のスイッチはオフ）されることにより、維持パルス発生回路３０は、主経路Ｒ１および電極グループ経路ＲＳＣを０（Ｖ）に保持する。時点ｔ１においてスイッチＳＷ２がオフされスイッチＳＷｓｓがオンされることにより、傾斜開始電圧源６１Ｃは、基準温度時傾斜開始電圧ＶｖｓＢを主経路Ｒ１に出力する。さらに、時点ｔ１において全てのスイッチＳＷ４ｉ（ｉ＝１〜ｎ）がオフされ全てのスイッチＳＷ３ｉ（ｉ＝１〜ｎ）がオンされることにより、スイッチグループ回路４０は、主経路電圧ＶＲ１よりも走査基準電圧Ｖｓｃｎだけ高い副経路電圧ＶＲ２を選択し、電極グループ経路ＲＳＣに出力する。すなわち、スイッチグループ回路４０は、基準温度時傾斜開始電圧ＶｖｓＢと走査基準電圧Ｖｓｃｎとの和電圧を表す傾斜開始電圧Ｖｉ１を、電極グループ経路ＲＳＣに出力する。
【００７５】
時点ｔ２においてスイッチＳＷｓｓがオフされスイッチＳＷｓｅがオンされことにより、傾斜終了電圧源６２Ｂは、基準温度時傾斜開始電圧ＶｖｓＢから、基準温度時傾斜終了電圧ＶｖｅＢに向かって緩やかに上昇する傾斜電圧Ｖｕｐを主経路Ｒ１に出力し始める。すなわち、スイッチグループ回路４０は、基準温度時傾斜開始電圧ＶｖｓＢと走査基準電圧Ｖｓｃｎとの和電圧を表す傾斜開始電圧Ｖｉ１から、基準温度時傾斜終了電圧ＶｖｅＢと走査基準電圧Ｖｓｃｎとの和電圧を表す傾斜終了電圧Ｖｉ２に向かって緩やかに上昇する傾斜電圧Ｖｕｐ１を、電極グループ経路ＲＳＣに出力し始める。時点ｔ３において、傾斜電圧Ｖｕｐは基準温度時傾斜終了電圧ＶｖｅＢに到達する。すなわち、傾斜電圧Ｖｕｐ１は、基準温度時傾斜終了電圧ＶｖｅＢと走査基準電圧Ｖｓｃｎとの和電圧を表す傾斜終了電圧Ｖｉ２に到達する。その後、傾斜終了電圧源６２Ｂは、主経路Ｒ１を基準温度時傾斜終了電圧ＶｖｅＢに保持する。すなわち、スイッチグループ回路４０は、電極グループ経路ＲＳＣを、基準温度時傾斜終了電圧ＶｖｅＢと走査基準電圧Ｖｓｃｎとの和電圧を表す傾斜終了電圧Ｖｉ２に保持する。次に、時点ｔ３ａにおいてスイッチＳＷｓｅがオフされスイッチＳＷｓｓがオンされることにより、傾斜開始電圧源６１Ｃは、主経路Ｒ１を基準温度時傾斜開始電圧ＶｖｓＢに低下させる。すなわち、スイッチグループ回路４０は、基準温度時傾斜開始電圧ＶｖｓＢと走査基準電圧Ｖｓｃｎとの和電圧Ｖｉ３を電極グループ経路ＲＳＣに出力する。その後、時点ｔ４においてスイッチＳＷｓｓがオフされスイッチＳＷ５がオンされることにより、走査パルス電圧発生回路８０は、下降する傾斜電圧Ｖｄｗを主経路Ｒ１に出力する。さらに、時点ｔ４において全てのスイッチＳＷ３ｉ（ｉ＝１〜ｎ）がオフされ全てのスイッチＳＷ４ｉ（ｉ＝１〜ｎ）がオンされることにより、スイッチグループ回路４０は、主経路電圧ＶＲ１を選択し、電極グループ経路ＲＳＣに出力する。すなわち、スイッチグループ回路４０は、下降する傾斜電圧Ｖｄｗ１を電極グループ経路ＲＳＣに出力する。
【００７６】
パネル１５の温度が基準温度から変化する場合についても、同様に説明することができる。図１０に示すように、傾斜電圧Ｖｕｐ１は、パネル１５の温度変化に対して、傾斜電圧Ｖｕｐ１の傾きを所定値に保持しながら上下に変化する。すなわち、また、傾斜電圧Ｖｕｐ１は、パネル１５の温度変化に対して、傾斜電圧期間Ｔｕｐを所定値に保持しながら上下に変化する。さらに、傾斜電圧Ｖｕｐ１において放電セルＣｉｊが放電開始となる時点ｔＦは、パネル１５の温度変化に対して、所定時点に保持される。これにより、傾斜電圧Ｖｕｐ１に対応する傾斜電圧期間Ｔｕｐのうち、放電開始時点ｔＦから傾斜電圧期間Ｔｕｐの終了時点までの傾斜電圧必要期間Ｔｕｐｆが、パネル１５の温度変化に対して所定値に保持される。
【００７７】
このように、実施の形態４の走査電極駆動回路４３Ｃによれば、スイッチグループ回路４０が初期化期間Ｔｉｎの一部において副経路Ｒ２を選択することにより、走査電極駆動回路４３Ｂにおける所定電圧源Ｅ１を省略し、所定電圧源Ｅ１の機能を走査基準電圧源Ｅｓｃｎに代用させることができる。これにより、所定電圧源Ｅ２を構成する部品の耐圧をさらに低減することができる。その結果、走査電極駆動回路４３Ｃのコストを、走査電極駆動回路４３Ｂに比べてさらに低減することができる。
【００７８】
（実施の形態５）
図１１は、走査電極駆動回路４３Ｄの回路図である。走査電極駆動回路４３Ｄが図８の走査電極駆動回路４３Ｃと異なる点は、走査基準電圧源Ｅｓｃｎが走査基準電圧源Ｅｖｓｃｎに変更され、連動制御部６０Ｄが追加されている点である。走査電極駆動回路４３Ｄにおけるその他の構成、動作、および効果は、走査電極駆動回路４３Ｃと同等であるので、説明を省略する。
【００７９】
走査電極駆動回路４３Ｄは、維持パルス発生回路３０、走査パルス電圧発生回路８０、初期化パルス発生回路６０Ｄ、走査回路７０Ａ、主経路Ｒ１、および電極グループ経路ＲＳＣを含む。走査回路７０Ａは、走査基準電圧源Ｅｖｓｃｎ、スイッチグループ回路４０、および副経路Ｒ２を含む。初期化パルス発生回路６０Ｄは、傾斜開始電圧源６１Ｃ、傾斜終了電圧源６２Ｂ、連動制御部５３、および受信経路Ｒ３を含む。走査基準電圧源Ｅｖｓｃｎの負極は主経路Ｒ１に接続され、走査基準電圧源Ｅｖｓｃｎの正極は副経路Ｒ２に接続される。走査基準電圧源Ｅｖｓｃｎは、変化可能な走査基準電圧Ｖｖｓｃａｎを発生させる。連動制御部６０Ｄは、受信経路Ｒ３を介して状態信号Ｓｔを受ける。さらに連動制御部６０Ｄは、走査基準電圧Ｖｖｓｃｎおよび状態信号Ｓｔに基づいて、連動制御信号Ｓｃを生成する。可変電圧源Ｅｖ３は、連動制御信号Ｓｃに基づいて制御され、可変電圧Ｖｖ３を変化させる。
【００８０】
図１２は、連動制御部５３の構成例を示している。図１３は、走査電極駆動回路４３Ｄの１サブフィールドにおける駆動波形およびタイミング波形の一例を示す波形図である。ここで、走査電極駆動回路４３Ｄが上述したように構成する理由を説明する。スイッチグループ回路４０には、初期化期間Ｔｉｎ、書き込み期間Ｔｗ、および維持期間Ｔｓのいずれの期間においても、電極経路ＲＳＣｉを介して走査電極ＳＣｉに駆動電圧を印加するための電流が流れる。そのため、走査基準電圧源Ｅｖｓｃｎは、走査基準電圧Ｖｖｓｃｎをスイッチグループ回路４０に常時印加し、スイッチＳＷ３ｉまたはスイッチＳＷ４ｉのいずれかをオンするように、スイッチグループ回路４０を動作させておく必要がある。しかしスイッチグループ回路４０では、書き込み期間Ｔｗおよび維持期間Ｔｓにおいて大きな電流が流れるが、初期化期間Ｔｉｎにおいては、パネル１５の容量を緩やかに充電するため少しの電流しか流れない。そのため初期化期間Ｔｉｎにおいて、走査基準電圧Ｖｖｓｃｎをスイッチグループ回路４０が動作する最低走査基準電圧Ｖｓｃｎ１に低下させても、スイッチグループ回路４０の動作には支障はない。たとえば、書き込み期間Ｔｗおよび維持期間Ｔｓにおける走査基準電圧Ｖｖｓｃｎを、通常走査基準電圧Ｖｓｃｎ２＝１００〜１５０（Ｖ）とすると、最低走査基準電圧Ｖｓｃｎ１は通常走査基準電圧Ｖｓｃｎ２の１／２〜１／４の４０〜６０（Ｖ）となる。パネル１５が高精細になるほど走査電極数が増加し、スイッチグループ回路４０における走査ＩＣ（Ｉｎｔｅｇｒａｔｅｄ  Ｃｉｒｃｕｉｔ：集積回路）の使用数も増加するが、これにより初期化期間Ｔｉｎにおけるスイッチグループ回路４０の消費電力を低減することができる。
【００８１】
しかし、図１１の走査電極駆動回路４３Ｄでは、走査基準電圧Ｖｖｓｃｎが低下すると、初期化パルス電圧の傾斜開始電圧Ｖｉ１および傾斜終了電圧Ｖｉ２も低下し、正常な初期化動作を行うことができない。そのため連動制御部５３は、走査基準電圧Ｖｖｓｃｎおよび状態信号Ｓｔにより、可変電圧源Ｅｖ３の可変電圧Ｖｖ３を変化させる。
【００８２】
図１２において、連動制御部５３は、電圧変化検出部５１１、電圧／周波数変換部５１３、伝達部５１４、周波数／電圧変換部５１５、加算部５３６、および連動制御信号生成部５１２を含む。電圧変化検出部５１１は、走査基準電圧Ｖｖｓｃｎの電圧変化を検出し、電圧変化検出信号Ｓ５１１を生成する。電圧変化検出信号Ｓ５１１の大きさは、図１３において、書き込み期間Ｔｗおよび維持期間Ｔｓにおける通常走査基準電圧Ｖｓｃｎ２から、初期化期間Ｔｉｎにおける最低走査基準電圧Ｖｓｃｎ１を差し引いた差電圧ｄＶｓｃｎに等しい。その後、電圧／周波数変換部５１３、伝達部５１４、および周波数／電圧変換部５１５までは、図６における連動制御部５１と同等であるので、説明を省略する。加算部５３６は、受信経路Ｒ３を介して状態信号Ｓｔを受ける。さらに加算部５３６は、状態信号Ｓｔと変換電圧信号Ｓ５１５とを加算し、加算信号Ｓ５３６を生成する。連動制御信号生成部５１２は、加算信号Ｓ５３６に基づいて、連動制御信号Ｓｃを生成する。
【００８３】
図１３に示すように、走査基準電圧Ｖｖｓｃｎは、書き込み期間Ｔｗおよび維持期間Ｔｓでは通常走査基準電圧Ｖｓｃｎ２であるが、初期化期間Ｔｉｎでは差電圧ｄＶｓｃｎ低下し、最低走査基準電圧Ｖｓｃｎ１となる。その結果、スイッチグループ回路４０の消費電力を低減することができる。可変電圧源Ｅｖ３が状態信号Ｓｔにより直接制御される場合、可変電圧Ｖｖ３は温度状態ＵｓＨ（パネル１５が高温状態）における高温時電圧Ｖｖ３Ｈとなる。図１２において上述したように、可変電圧源Ｅｖ３が状態信号Ｓｔと変換電圧信号Ｓ５１５との和に基づいて制御されるため、可変電圧Ｖｖ３は、高温時電圧Ｖｖ３Ｈと差電圧ｄＶｓｃｎとの和電圧となる。したがって傾斜開始電圧Ｖｉ１は、可変電圧Ｖｖ３（すなわち、Ｖｖ３Ｈ＋ｄＶｓｃｎ）に、最低走査基準電圧Ｖｓｃｎ１を加算したものとなり、Ｖｖ３Ｈ＋Ｖｓｃｎ２となる。
【００８４】
また、傾斜終了電圧Ｖｉ２についても同様に説明することができる。書き込み期間Ｔｗおよび維持期間Ｔｓでは、走査基準電圧Ｖｖｓｃｎは通常走査基準電圧Ｖｓｃｎ２となり、可変電圧Ｖｖ３は状態信号Ｓｔによる設定電圧Ｖｖ３Ｈのみとなる。
【００８５】
このように、実施の形態５の走査電極駆動回路４３Ｄによれば、連動制御部５３、および変化可能な走査基準電圧Ｖｖｓｃｎを発生させる走査基準電圧源Ｅｖｓｃｎを備え、連動制御部５３が走査基準電圧Ｖｖｓｃｎおよび状態信号Ｓｔに基づいて可変電圧源Ｅｖ３を制御する。その結果、走査電極駆動回路４３Ｄは、初期化期間Ｔｉｎにおいて走査基準電圧Ｖｖｓｃｎを低下させることにより、スイッチグループ回路４０の消費電力を低減し、かつ、図９に示した走査電極駆動回路４３Ｃと同様の初期化パルス、走査パルス、および維持パルスを生成することができる。
【００８６】
なお、図９に示した走査電極駆動回路４３Ｃにおいて、走査基準電圧Ｖｓｃｎを変動させてパネル特性への影響を検査する場合、走査電極駆動回路４３Ｄの構成を用いると、走査基準電圧Ｖｓｃｎの変動による初期化パルス電圧（傾斜開始電圧Ｖｉ１および傾斜終了電圧Ｖｉ２）の変動が発生しない。その結果、常に一定の初期化パルス電圧を印加することができるので、正確なパネル特性を検査することができる。したがって、走査電極駆動回路４３Ｄは、検査装置の構成としても有用である。
【００８７】
以上のように、本発明の走査電極駆動回路によれば、傾斜開始電圧源を備えることにより、パネルの温度変化に対して傾斜開始電圧を上下に変化させるので、連動して上下に変化する傾斜電圧において、常に所定の時点で放電開始とすることができる。これにより、傾斜電圧に対応する傾斜電圧期間のうち、放電開始時点から傾斜電圧期間の終了時点までの傾斜電圧必要期間が、パネルの温度変化に対して所定値に保持される。このため、低温時においても初期化放電による壁電荷の蓄積量が適正に確保され、その結果、書き込み不良およびパネルの表示不良を防止することが可能となる。さらに、傾斜電圧期間を低温時にも高温時と同等の、最低限の期間に保持することができる。これにより、初期化期間の短縮化が可能となるため、維持パルス数の増加による高輝度化、書き込み期間の増加による高精細度化、およびサブフィールド数の増加による高コントラスト化などの、パネルの高画質化を達成することが可能となる。
【００８８】
以上、実施の形態におけるこれまでの説明は、全て本発明を具体化した一例であって、本発明はこれらの例に限定されず、本発明の技術を用いて当業者が容易に構成可能な種々の例に展開可能である。
【産業上の利用可能性】
【００８９】
本発明は、プラズマディスプレイパネルの駆動方法およびプラズマディスプレイの駆動装置に利用できる。
【符号の説明】
【００９０】
１５  プラズマディスプレイパネル
３０    維持パルス発生回路
４０    スイッチグループ回路
４０ｉ    スイッチ回路
４３、４３Ａ、４３Ｂ、４３Ｃ、４３Ｄ    走査電極駆動回路
５０、５１、５２、５３    連動制御部
６０、６０Ａ、６０Ｂ、６０Ｃ、６０Ｄ    初期化パルス発生回路
６１、６１Ａ、６１Ｂ、６１Ｃ    傾斜開始電圧源
６２、６２Ａ、６２Ｂ    傾斜終了電圧源
７０    走査回路
８０    走査パルス電圧発生回路
９０    パネル状態検出部
Ｒ１    主経路
Ｒ２    副経路
Ｒ３    受信経路
ＲＳＣ    電極グループ経路
ＲＳＣｉ    電極経路
ＳＣＧ    走査電極グループ
ＳＷ１、ＳＷ２、ＳＷ５、ＳＷｓｓ、ＳＷｓｅ    スイッチ
Ｅ１、Ｅ２、Ｅｓｃｎ    所定電圧源
Ｅｓｃｎ、Ｅｖｓｃｎ    走査基準電圧源
Ｅｖ１、Ｅｖ２、Ｅｖ３、Ｅｖ４    可変電圧源
【図１Ａ】
2010276680.tif 000003
【図１Ｂ】
2010276680.tif 000004
【図２Ａ】
2010276680.tif 000005
【図２Ｂ】
2010276680.tif 000006
【図３】
2010276680.tif 000007
【図４】
2010276680.tif 000008
【図５】
2010276680.tif 000009
【図６】
2010276680.tif 000010
【図７】
2010276680.tif 000011
【図８】
2010276680.tif 000012
【図９】
2010276680.tif 000013
【図１０】
2010276680.tif 000014
【図１１】
2010276680.tif 000015
【図１２】
2010276680.tif 000016
【図１３】
2010276680.tif 000017
【図１４】
2010276680.tif 000018
【図１５】
2010276680.tif 000019